(57)【要約】  供給装置の動作を制御する制御インターフェイスを提供することができる。制御インターフェイスは、供給装置と関連する様々な動作を制御するべく利用されうる複数の選択肢のそれぞれを個々に提示するための表示画面を含むことができる。制御インターフェイスは、表示画面上において選択肢のそれぞれを通じて個々にナビゲートするべく利用されうる、表示画面と通信状態にある、ナビゲーション制御部を更に含むことができる。表示画面は、供給装置の動作の実行と関連する表示された選択肢を選択するように、作動させることができる。【選択図】図１
2019525871.tif 000002
【特許請求の範囲】
【請求項１】
供給装置であって、
複数の選択可能な選択肢のそれぞれを個々に提示する表示画面であって、前記複数の選択可能な選択肢は、前記供給装置と関連する複数の動作を制御するべく利用される、表示画面と、
前記表示画面と通信状態にあるナビゲーション制御部であって、前記複数の選択可能な選択肢のそれぞれを通じて個々にナビゲートするべく利用されるナビゲーション制御部と、
を有する装置。
【請求項２】
前記複数の選択可能な選択肢は、メインメニューと、複数のサブメニューと、を有し、前記複数のサブメニューのそれぞれは、前記複数の選択可能な選択肢のサブセットと関連付けられており、前記複数の選択可能な選択肢の前記サブセットは、前記複数の動作を制御するべく利用される、請求項１に記載の供給装置。
【請求項３】
前記複数の選択可能な選択肢は、供給するべき飲料製品の選択、飲料製品の入替え動作、１つ又は複数の供給装置の設定、及び供給装置の初期化を有する、請求項１に記載の供給装置。
【請求項４】
前記ナビゲーション制御部は、既定の期間にわたって第１ナビゲーションレートにおいて前記複数の選択可能な選択肢の第１の組を通じてナビゲートし、且つ、前記既定の期間の満了の際に第２ナビゲーションレートにおいて前記複数の選択可能な選択肢の別の組を通じてナビゲートし、前記第２ナビゲーションレートは、前記第１ナビゲーションレートを上回っている、請求項１に記載の供給装置。
【請求項５】
前記ナビゲーション制御部は、前記複数の選択可能な選択肢のそれぞれを通じて個々にナビゲートするための回転制御部を有する、請求項１に記載の供給装置。
【請求項６】
前記回転制御部は、前記複数の選択可能な選択肢のそれぞれを通じて個々にナビゲートするための制御ノブを有する、請求項５に記載の供給装置。
【請求項７】
前記回転制御部は、前記複数の選択可能な選択肢のそれぞれを通じて個々にナビゲートするためのユーザーインターフェイス要素を有する、請求項５に記載の供給装置。
【請求項８】
前記表示画面は、前記複数の選択可能な選択肢を選択するための機械スイッチを有する、請求項１に記載の供給装置。
【請求項９】
前記表示画面は、前記複数の選択可能な選択肢を選択するためのタッチインターフェイスを有する、請求項１に記載の供給装置。
【請求項１０】
飲料供給装置であって、
複数の選択可能な選択肢のそれぞれを個々に提示する表示画面であって、前記複数の選択可能な選択肢は、前記飲料供給装置と関連する複数の動作を制御するべく利用される、表示画面と、
前記表示画面と通信状態にあるナビゲーション制御部であって、前記ナビゲーション制御部は、前記複数の選択可能な選択肢のそれぞれを通じて個々にナビゲートするべく利用され、前記ナビゲーション制御部は、既定の期間にわたって第１ナビゲーションレートにおいて前記複数の選択可能な選択肢の第１の組を通じてナビゲートし、且つ、前記既定の期間の満了の際に第２ナビゲーションレートにおいて前記複数の選択可能な選択肢の別の組を通じてナビゲートし、前記第２ナビゲーションレートは、前記第１ナビゲーションレートを上回っている、ナビゲーション制御部と、
を有する装置。
【請求項１１】
前記複数の選択可能な選択肢は、メインメニューと、複数のサブメニューと、を有し、前記複数のサブメニューのそれぞれは、前記複数の選択可能な選択肢のサブセットと関連付けられており、前記複数の選択可能な選択肢の前記サブセットは、前記飲料供給装置と関連する前記複数の動作を制御するべく利用される、請求項１０に記載の飲料供給装置。
【請求項１２】
前記ナビゲーション制御部は、前記複数の選択可能な選択肢のそれぞれを通じて個々にナビゲートするための回転制御部を有する、請求項１０に記載の飲料供給装置。
【請求項１３】
前記回転制御部は、前記複数の選択可能な選択肢のそれぞれを通じて個々にナビゲートするための制御ノブを有する、請求項１２に記載の飲料供給装置。
【請求項１４】
前記表示画面は、前記複数の選択可能な選択肢を選択するための機械スイッチを有する、請求項１０に記載の飲料供給装置。
【請求項１５】
制御インターフェイスを利用して供給装置を制御する方法であって、
前記供給装置上において、前記供給装置と関連する表示画面上において複数の選択可能な選択肢のそれぞれを通じて個々にナビゲートするべく、ナビゲーション制御部の選択を受け取ることであって、前記表示画面は、前記複数の選択可能な選択肢のそれぞれを個々に提示するための予め定義されたエリアを有する、ことと、
前記複数の選択可能な選択肢のうちの現時点において表示されているものを選択するべく、前記表示画面の選択を受け取ることであって、前記複数の選択可能な選択肢は、前記供給装置と関連する複数の動作を制御するべく利用される、ことと、
を有する方法。
【請求項１６】
前記供給装置上において、前記供給装置と関連する表示画面上において前記複数の選択可能な選択肢のそれぞれを通じて個々にナビゲートするべく、前記ナビゲーション制御部の前記選択を受け取ることは、既定の期間にわたって第１ナビゲーションレートにおいて前記複数の選択可能な選択肢の第１の組を通じてナビゲートすることと、前記既定の期間の満了の際に第２ナビゲーションレートにおいて前記複数の選択可能な選択肢の別の組を通じてナビゲートすることと、を更に有し、前記第２ナビゲーションレートは、前記第１ナビゲーションレートを上回っている、請求項１５に記載の方法。
【請求項１７】
前記供給装置上において、前記供給装置と関連する表示画面上において前記複数の選択可能な選択肢のそれぞれを通じて個々にナビゲートするべく、前記ナビゲーション制御部の前記選択を受け取ることは、回転制御部の選択を受け取ることを有する、請求項１５に記載の方法。
【請求項１８】
回転制御部の選択を受け取ることは、制御ノブの選択を受け取ることを有する、請求項１５に記載の方法。
【請求項１９】
回転制御部の選択を受け取ることは、ユーザーインターフェイス要素の選択を受け取ることを有する、請求項１５に記載の方法。
【請求項２０】
前記複数の選択可能な選択肢のうちの現時点において表示されているものを選択するべく、前記表示画面の選択を受け取ることは、機械スイッチの選択を受け取ることを有する、請求項１５に記載の方法。
【請求項２１】
前記複数の選択可能な選択肢のうちの現時点において表示されているものを選択するべく、前記表示画面の選択を受け取ることは、タッチスクリーンの選択を受け取ることを有する、請求項１５に記載の方法。
【請求項２２】
前記複数の選択可能な選択肢は、メインメニューと、複数のサブメニューと、を有し、前記複数のサブメニューのそれぞれは、前記複数の動作のうちの１つ又は複数と関連付けられている、請求項１５に記載の方法。
【請求項２３】
前記複数の選択可能な選択肢は、供給するべき飲料製品の選択、飲料製品の入替え動作、１つ又は複数の供給装置の設定、及び供給装置の初期化を有する、請求項１５に記載の方法。
【発明の詳細な説明】
【技術分野】
【０００１】
本出願は、ＰＣＴ国際特許出願として２０１７年６月７日付けで出願され、且つ、２０１６年６月１０日付けで出願された米国仮特許出願第６２／３４８，２５４号の優先権の利益を主張するものであり、この特許文献の開示内容の全体は、引用により、そのすべてが包含される。
【背景技術】
【０００２】
背景
最近の供給装置（dispensing device）は、消費者及び／又は顧客が装置の表示画面上において利用可能な製品のメニューから選択すると共に装置機能にアクセスするための機能を含む。通常、消費者には、表示画面を介して、購入又は供給用の製品（例えば、飲料）の包括的なリストが提示される。同様に、顧客には、同一の表示画面を介して装置管理機能の包括的なリストを提示することができる。但し、現時点の供給装置は、限られた空間要件しか有していない相対的に小さな装置（例えば、家庭用又は小規模店舗用の供給装置）においては、通常、実際的ではない（上述の製品及び管理機能を様々なメニューにおいて表示するための）大きな占有面積を必要としている。
【発明の概要】
【課題を解決するための手段】
【０００３】
概要
この「概要」は、「詳細な説明」において更に後述されている概念の一選択を概略的な形態で紹介するべく、提供されている。この概要は、特許請求されている主題の主な特徴又は不可欠な特徴を識別することを意図したものではなく、且つ、特許請求されている主題の範囲の判定を支援することを意図したものでもない。
【０００４】
制御インターフェイスを利用することにより、供給装置の動作を制御する実施形態が提供されている。制御インターフェイスは、供給装置と関連する様々な動作を制御するべく利用されうる複数の選択肢のそれぞれを個々に提示するための表示画面を含むことができる。制御インターフェイスは、表示画面上において選択肢のそれぞれを通じて個々にナビゲートするべく利用されうる、表示画面と通信状態にある、ナビゲーション制御部を更に含むことができる。表示画面は、供給装置の動作の実行と関連しうる、表示された選択肢を選択するべく、作動させることができる。上述の概略的な説明及び以下の詳細な説明は、特許請求されている実施形態の、制限ではなく、例示のみを目的としたものである。
【図面の簡単な説明】
【０００５】
図面の説明
【図１】いくつかの実施形態による、供給装置上において供給装置制御ユーザーインターフェイスを提供するシステムアーキテクチャを示すブロック図である。
【図２Ａ】いくつかの実施形態による、供給装置の制御メニューを表示する制御インターフェイスを示す。
【図２Ｂ】いくつかの実施形態による、供給装置の制御メニューを表示する制御インターフェイスを示す。
【図２Ｃ】いくつかの実施形態による、供給装置の制御メニューを表示する制御インターフェイスを示す。
【図３Ａ】いくつかの実施形態による、供給装置上における供給に利用可能な製品を選択するための選択肢を表示する制御インターフェイスを示す。
【図３Ｂ】いくつかの実施形態による、供給装置を初期化するための選択肢を表示する制御インターフェイスを示す。
【図３Ｃ】いくつかの実施形態による、供給装置内において製品ブランドの入替えを開始するための選択肢を表示する制御インターフェイスを示す。
【図３Ｄ】いくつかの実施形態による、供給装置内において製品含有要素パッケージを交換するための選択肢を表示する制御インターフェイスを示す。
【図３Ｅ】いくつかの実施形態による、供給装置ユティリティメニューにアクセスするための選択肢を表示する制御インターフェイスを示す。
【図４】いくつかの実施形態による、供給するべく供給装置内においていくつかの利用可能な製品の中から選択するための制御インターフェイスを示す。
【図５】いくつかの実施形態による、供給装置の制御インターフェイスによって生成されうる様々なアラートを示す。
【図６Ａ】いくつかの実施形態による、供給装置内において製品の入替えを実行するべく利用されている制御インターフェイスを示す。
【図６Ｂ】いくつかの実施形態による、供給装置内において製品の入替えを実行するべく利用されている制御インターフェイスを示す。
【図６Ｃ】いくつかの実施形態による、供給装置内において製品の入替えを実行するべく利用されている制御インターフェイスを示す。
【図６Ｄ】いくつかの実施形態による、供給装置内において製品の入替えを実行するべく利用されている制御インターフェイスを示す。
【図７】いくつかの実施形態による、制御インターフェイスを利用して供給装置を制御するためのルーチンを示すフロー図である。
【図８】いくつかの実施形態が実施されうる供給装置のブロック図である。
【図９】別の例示用の供給装置を示す。
【図１０】図９の供給装置の別の図を示す。
【図１１】例示用のナビゲーション制御部を含む図９の供給装置の一部分を示す。
【図１２】図１１の供給装置のナビゲーション制御部の別の図を示す。
【図１３】図１１の供給装置のナビゲーション制御部の別の図を示す。
【図１４】図９の供給装置用の別の例示用のナビゲーション制御部を示す。
【図１５】図９の供給装置用の別の例示用のナビゲーション制御部を示す。
【図１６】図９の供給装置用の別の例示用のナビゲーション制御部を示す。
【図１７】注ぐべき飲料のブランドを選択するべく使用される図９の供給装置用の別の例示用のナビゲーション制御部を示す。
【図１８】注ぐべきサブブランドを選択するべく使用される図１７のナビゲーション制御部の別の図を示す。
【図１９】注ぐべき飲料の選択の後の図１８のナビゲーション制御部の別の図を示す。
【図２０】供給装置用の設定を選択するべく使用される図１７のナビゲーション制御部の別の図を示す。
【図２１】供給装置用の設定をトグル切替するべく使用される図２０のナビゲーション制御部の別の図を示す。
【図２２】注ぐべき飲料のブランドを選択するべく使用される図９の供給装置用の別の例示用のナビゲーション制御部を示す。
【図２３】図９の供給装置の例示用の使用方法を示す。
【発明を実施するための形態】
【０００６】
詳細な説明
制御インターフェイスを利用することにより、供給装置の動作を制御する実施形態が提供されている。制御インターフェイスは、供給装置と関連する様々な動作を制御するべく利用されうる複数の選択肢のそれぞれを個々に提示するための表示画面を含むことができる。制御インターフェイスは、表示画面上において選択肢のそれぞれを通じて個々にナビゲートするべく使用されうる、表示画面と通信状態にある、ナビゲーション制御部を更に含むことができる。表示画面は、供給装置の動作の実行と関連しうる、表示された選択肢を選択するべく、作動させることができる。
【０００７】
以下の詳細な説明においては、その一部分を形成すると共に特定の実施形態又は例が例示を目的として示されている添付図面が参照されている。これらの実施形態は、組み合わせられてもよく、その他の実施形態が利用されてもよく、且つ、構造的な変更が施されてもよい。従って、以下の詳細な説明は、制限の意味において解釈されてはならず、且つ、本明細書において記述されている実施形態の範囲は、添付の請求項及びその均等物によって定義されるものである。
【０００８】
本明細書において使用されている「飲料」という用語は、限定を伴うことなしに、果肉を有する及び果肉を有していない柑橘類及び非柑橘類のフルーツジュース、フルーツドリンク、野菜ジュース、野菜ドリンク、牛乳、豆乳、タンパク質ドリンク、大豆強化ドリンク、茶、水、アイソトニックドリンク、ビタミン強化水、ソフトドリンク、フレーバーが付与された水、エネルギードリンク、コーヒー、スムージー、ヨーグルトドリンク、ホットチョコレート、及びこれらの組合せを含むことができる。また、飲料は、炭酸化されていてもよく、或いは、そうでなくてもよい。飲料は、飲料成分（例えば、飲料ベース、着色料、香料、及び添加剤）を有することができる。
【０００９】
「飲料ベース」という用語は、更なる着色料、更なる香料、及び／又は更なる添加剤の前の時点の、飲料の一部分又は飲料自体を意味することができる。いくつかの実施形態によれば、飲料ベースは、限定を伴うことなしに、飲料を形成するべく、非発泡水又は炭酸水又はその他の希釈剤などの希釈剤と混合されうる、シロップ、濃縮物、及びこれらに類似したものを含むことができる。飲料ベースは、約３：１〜約６：１以上の再構成比率を有することができる。いくつかの実施形態によれば、飲料ベースは、飲料ベース成分の混合体を有することができる。
【００１０】
「飲料ベース成分」という用語は、飲料ベースに含まれうる成分を意味することができる。いくつかの実施形態によれば、飲料ベース成分は、それ自体が検討対象の食品品目でありうる飲料の一部分を有することができる。いくつかの実施形態によれば、飲料ベース成分は、飲料ベースの酸性部分、飲料ベースの酸分解性及び／又は非酸性部分、天然及び人工フレーバー、フレーバー添加剤、天然及び人工色、栄養又は非栄養天然又は人工甘味料、例えば、クエン酸やクエン酸カリウムなどの、酸味を制御するための添加剤、ビタミンやミネラルなどの、機能性添加剤、或いは、ハーブ抽出物、栄養補給食品、又は薬品などの、微量含有要素であってもよい。微量含有要素は、約１０：１、２０：１、３０：１以上の再構成比率を有することができるが、多くは、５０：１〜３００：１の再構成比率を有する。微量含有要素の粘度は、約１〜１００センチポイズの範囲をとりうる。
【００１１】
従って、飲料ベースの要求、選択、又は供給を目的とする場合には、別個に保存されている飲料ベース成分から形成された飲料ベースは、別個に保存されている飲料ベースと等価でありうる。飲料の要求、選択、又は供給を目的とする場合には、別個に保存されている飲料成分から形成された飲料は、別個に保存されている飲料と等価でありうる。
【００１２】
「別個に保存されている」は、本発明の成分が、組み合わせられる時点まで、別個に維持されていることを意味している。例えば、成分は、それぞれの容器内において個々に別個に保存されてもよく、或いは、それぞれの成分は、それらが容器内に存在している間にブレンドされないように、個々にパッケージ（例えば、プラスチックバッグ）された状態において、すべてが１つの容器内において保存されてもよい。いくつかの実施形態においては、容器自体が、個別のものであってもよく、別の容器と隣接していてもよく、或いは、別の容器に装着されていてもよい。
【００１３】
「ブレンド済みの飲料」という用語は、最終製品を形成するべく、２つ以上の飲料のブレンド又は混合又はその他の方式による組合せが完了している、最終製品を含むことができる。
【００１４】
まずは、同一の参照符号が同一の要素をいくつかの図を通じて表している添付の図面を参照し、本発明の様々な態様について説明することとする。図１は、いくつかの実施形態による、供給装置上において供給装置制御ユーザーインターフェイスを提供するシステムアーキテクチャ２を示すブロック図である。システムアーキテクチャ２は、供給装置１０を含むことができる。供給装置１０は、通信インターフェイス１１と、選択可能な表示画面１２及びナビゲーション制御部１３を有しうる制御インターフェイスと、を含むことができる。いくつかの実施形態においては、表示画面１２は、供給装置１０を動作させることと関連する選択肢を選択するための表示画面１２の作動を可能にする機械スイッチを含むことができる。いくつかの実施形態においては、選択可能な表示画面１２は、供給装置１０を動作させることと関連する選択肢を選択するべく作動させられうるタッチインターフェイスを有することができる。選択される動作は、限定を伴うことなしに、１つ又は複数の製品（例えば、飲料製品）を個々に選択及び／又は供給すること、供給装置の初期化、製品の入替え、製品の交換、並びに、（例えば、供給装置の較正、クロック／カレンダの設定、Wi-Fiへの接続、ソフトウェアアップデートの取得などのための）ユティリティメニューへのアクセスを含むことができる。ナビゲーション制御部１３は、表示画面１２上における様々な選択可能な選択肢の中において個々にナビゲート（即ち、スクロール又はダイアル）するための回転式ユーザー制御部を有することができる。いくつかの実施形態においては、ナビゲーション制御部１３は、表示画面１２上において供給装置１０を動作させるための上述の選択肢を個々に観察するべく、時計回り及び反時計回りの両方の方向において回転させることができる物理的な制御ノブを有することができる。後述する図９〜図２２を参照されたい。いくつかの実施形態においては、ナビゲーション制御部１３は、表示画面１２上において様々な選択可能な選択肢の中を個々にナビゲートするべく、ユーザーによって選択されうるタッチインターフェイスを有することができる。また、ナビゲーション制御部１３のために、その他のタイプのインターフェイスを利用することもできる。
【００１５】
また、供給装置１０は、含有要素パッケージ（或いは、パウチ）１４、１６、１８、２０、２２、２４、２６、及び２８を含むこともできる。いくつかの実施形態においては、含有要素パッケージ１４、１６、１８、及び２０は、様々な飲料ベース又は飲料ベースなどの飲料ベース成分を有することができる。いくつかの実施形態においては、含有要素パッケージ２２、２４、２６、及び２８は、フレーバー（即ち、着香料、フレーバー濃縮物、又はフレーバーシロップ）を有することができる。いくつかの実施形態においては、含有要素パッケージ１４、１６、１８、及び２０内の飲料ベースは、濃縮シロップであってもよい。いくつかの実施形態においては、含有要素パッケージ１４、１６、１８、及び２０内の飲料ベースは、飲料ベース成分と交換されてもよく、或いは、飲料ベース成分が更に提供されてもよい。いくつかの実施形態においては、含有要素パッケージ内の飲料ベース又は飲料ベース成分のそれぞれ、並びに、含有要素パッケージ２２、２４、２６、及び２８内のフレーバーのそれぞれは、供給装置１０内に保存されている個々の着脱自在のカートリッジ内において別個に保存又はその他の方式によって収容されていてもよい。供給装置１０は、ユーザーによる初期化の際にカートリッジを自動的に識別してもよく、或いは、それらが設置される際に、カートリッジを識別するように、ユーザーに対して要求することもできる。上述の飲料成分（即ち、飲料ベース又は飲料ベース成分及びフレーバー）は、供給装置１０から様々な飲料又はブレンド済みの飲料（即ち、完成した飲料製品）を供給するべく、その他の飲料含有要素３０と共に、組み合わせられてもよい。但し、供給装置１０は、飲料成分を個々に供給するように構成されうることをも理解されたい。いくつかの実施形態においては、供給装置１０は、飲料ベースを形成するべく、飲料ベース成分を供給するように構成することができる。その他の飲料含有要素３０は、例えば、非発泡水、発泡水、又は炭酸水、機能性添加剤、又は薬品などの希釈剤を含むことができる。その他の飲料含有要素３０は、供給装置１０内において設置されてもよく、供給装置１０にポンプ供給されてもよく、或いは、これらの両方であってもよい。炭酸水は、炭酸水を生成するソーダ水器又はその他の装置などの内部におけるＣＯ２と非発泡水の混合を通じて、供給装置１０内において生成されてもよい。また、供給装置１０は、製品（例えば、飲料製品）の選択及び供給と関連する制御インターフェイスビューの使用及び複数の供給装置選択肢の選択を可能にすることを含む、供給装置１０の様々な動作のみならず、その他の供給装置の機能をも制御するように構成されうるアプリケーション３５を含むことができる。また、供給装置１０は、様々な飲料又はブレンド済みの飲料を供給するための注ぎメカニズム３７を含むこともできる。
【００１６】
いくつかの実施形態においては、供給装置１０は、家庭内の使用又は小企業体による使用のための、自己完結型の飲料供給装置を有することができる。例えば、供給装置１０は、台所のカウンタの上又は類似の表面上における配置のために小さな占有面積を有しうると共に、ユーザーが様々な製品選択肢及び装置機能を観察するための限られた面積を有する小さな表示画面を更に含むこともできる。供給装置１０は、飲料を供給するために使用される氷及び水を受け取るための別個のリザーバ（図示せず）を更に含むことができる。別の例として、供給装置１０は、水ラインに接続されうるように、且つ、飲料を冷却するための冷蔵デッキ（図示せず）を更に含みうるように、配管されてもよい。供給装置１０は、いくつかの実施形態に従って、その他のタイプの製品供給装置を更に含むことができる。
【００１７】
また、供給装置１０は、ローカルネットワーク又はワイドエリアネットワーク（例えば、インターネット）を含みうるネットワーク４０上においてサーバー７０と通信状態にあってもよい。いくつかの実施形態においては、供給装置１０とサーバー７０の間の通信は、通信インターフェイス１１を介して、限定を伴うことなしに、BLUETOOTH無線技術、Wi-Fi及びその他の無線又は有線通信規格又は技術を含む、任意の数の通信技法を利用することにより、実現することができる。サーバー７０は、供給装置１０と関連する更新データ７４を保存しうるデータベース７２を含むことができる。いくつかの実施形態においては、更新データ７４は、供給装置１０上のアプリケーション３５用のソフトウェア更新を有することができる。
【００１８】
図２Ａは、いくつかの実施形態による供給装置制御メニューを表示する制御インターフェイスを示している。図２Ａの制御インターフェイスは、表示画面１２と、ナビゲーション制御部１３Ａ及び１３Ｂと、を含むことができる。いくつかの実施形態においては、ナビゲーション制御部１３Ａ及び図１３Ｂは、左及び右方向において、表示画面１２内において個々に表示されうる、メニュー選択肢を通じてスクロールするべくユーザーによって選択されうる、タッチインターフェイスを有することができる。表示画面１２は、いくつかの実施形態においては、供給装置１０のスタートアップの際に表示されうる、メインメニューを有しうる、供給装置制御メニューを示している。いくつかの実施形態においては、供給装置制御メニューは、様々な飲料製品を供給するべく供給装置１０を初期化するための選択肢のみならず、供給装置１０と関連するセットアップ言語、カレンダ、クロック、及びWi-Fi機能にアクセスするための初期化メニューを有することができる。いくつかの実施形態においては、供給装置制御メニューは、供給装置１０からの供給のために利用可能な飲料製品を選択するための製品供給メニューを有することができる。また、いくつかの実施形態においては、供給装置制御メニュー用のその他のメニュータイプを利用することもできる。ナビゲーション制御部１３Ａ及び１３Ｂは、メインメニューから、供給装置の動作と関連する選択肢を表示しうる一連のサブメニューを通じてスクロールするべく、利用することができる。図２Ａに示されている供給装置制御メニューからアクセスされうるサブメニューの例については、図３Ａ〜図３Ｅとの関係において更に詳細に後述することとする。
【００１９】
図２Ｂは、いくつかの実施形態による、供給装置制御メニューを表示する制御インターフェイスを示している。図２Ｂの制御インターフェイスは、表示画面１２と、ナビゲーション制御部１３と、を含むことができる。いくつかの実施形態においては、ナビゲーション制御部１３は、時計回り及び反時計回りの両方の方向において、表示画面１２内において個々に示されうるメニュー選択肢を通じてスクロールするべく、ユーザーによって選択されうる物理的な制御ノブを有することができる。
【００２０】
図２Ｃは、いくつかの実施形態による、供給装置制御メニューを表示する制御インターフェイスを示している。図２Ｃの制御インターフェイスは、表示画面１２と、ナビゲーション制御部１３と、を含むことができる。いくつかの実施形態においては、ナビゲーション制御部１３は、タッチ入力を検知する静電容量性センサを含みうる、照明されたタッチインターフェイスを有することができる。タッチインターフェイスは、一般的に上向きの又は一般的に下向きの方向においてタッチインターフェイスに係合することにより、表示画面１２内において個々に示されうるメニュー選択肢を通じてスクロールするべく、ユーザーによって選択されてもよい。
【００２１】
いくつかの実施形態においては、図２Ａ〜図２Ｃとの関係において上述したナビゲーション制御部１３は、供給装置１０上において表示されうる様々なメニュー選択肢を通じて迅速にスクロールする「スロットリング（throttling）」を可能にするように構成することができる。例えば、ユーザーが図２Ａのナビゲーション制御部１３Ｂを選択すると共にこれとの係合を維持することに応答して、表示画面１２は、まず、既定の期間にわたって第１ナビゲーションレートにおいて利用可能なメニュー選択肢を通じて低速でスクロールすることができると共に、次いで、増大したナビゲーションレートにおいて任意の残りの利用可能なメニュー選択肢を通じてスクロールすることができる。この結果、ユーザーは、相対的に短い期間内において、多数の利用可能なメニュー選択肢を通じてスクロールすることが可能となりうる。
【００２２】
図３Ａは、いくつかの実施形態による、供給装置１０上における供給に利用可能な製品を選択するための選択肢を表示する制御インターフェイスを示している。図３Ａの制御インターフェイスは、（「飲料製品の選択」選択肢を表示する）表示画面１２と、ナビゲーション制御部１３Ａ及び１３Ｂと、を含むことができる。いくつかの実施形態においては、「飲料製品の選択」選択肢は、供給装置制御メニューが表示画面１２上において示されている際にユーザーがナビゲーション制御部１３Ｂ（例えば、図２Ａを参照されたい）を選択することに応答して、表示されてもよい。図４との関係において更に詳細に後述するように、「飲料製品の選択」選択肢が表示された際に、ユーザーは、供給装置１０からの供給のための第１の利用可能な飲料製品ブランドを観察するべく、表示画面１２を作動させることができる。
【００２３】
図３Ｂは、いくつかの実施形態による、供給装置１０を初期化するための選択肢を表示する制御インターフェイスを示している。図３Ｂの制御インターフェイスは、（「供給装置の初期化」選択肢を表示する）表示画面１２と、ナビゲーション制御部１３Ａ及び１３Ｂと、を含むことができる。いくつかの実施形態においては、「供給装置の初期化」選択肢は、「飲料製品の選択」選択肢が表示画面１２上において示されている際にユーザーがナビゲーション制御部１３Ｂ（例えば、図３Ａを参照されたい）を選択することに応答して、表示されてもよい。いくつかの実施形態においては、供給装置１０の初期化と関連する更なる選択肢を表示するように、ユーザーは、表示画面１２を作動させることができる。上述のように、これらの選択肢は、様々な飲料製品を供給するべく供給装置１０をセットアップすることを含むことができる。例えば、更に表示されうる初期化選択肢は、ＣＯ２キャニスタを供給装置１０内において設置する、フィルタを供給装置リザーバタンク内において設置する、リザーバタンクを氷及び水によって充填する、含有要素パッケージ（例えば、パウチ）を供給装置１０内に設置する、且つ、供給のために供給装置１０を準備する、ための命令を含むことができる。その他の初期化選択肢は、供給装置１０と関連するセットアップ言語、カレンダ、クロック、及びWi-Fi機能を選択することを含むことができる。上述の選択肢のそれぞれは、ナビゲーション制御部１３及び選択可能な表示画面１２を使用することにより、個々に表示及び選択することができる。
【００２４】
図３Ｃは、いくつかの実施形態による、供給装置１０内の製品ブランドの入替えを開始するための選択肢を表示する制御インターフェイスを示している。図３Ｃの制御インターフェイスは、（「ブランドの入替え」選択肢を表示する）表示画面１２と、ナビゲーション制御部１３Ａ及び１３Ｂと、を含むことができる。いくつかの実施形態においては、「ブランドの入替え」選択肢は、「供給装置の初期化」選択肢が表示画面１２上において示されている際にユーザーがナビゲーション制御部１３Ｂ（例えば、図２Ｂを参照されたい）を選択することに応答して、表示されてもよい。いくつかの実施形態においては、供給装置１０内の製品ブランド含有要素パッケージの入替えに関連する更なる選択肢を表示するべく、ユーザーは、表示画面１２を作動させることができる。これらの選択肢は、新しい又は使用された含有要素パッケージの挿入を所望しているかどうかについてユーザーに要求すること、洗浄パウチを挿入するように、且つ、供給装置１０を洗浄するための入力について、ユーザーに要求すること、製品ブランドを入れ替えるために含有要素パッケージを挿入するべく、ユーザーに要求すること、並びに、供給装置１０を準備するための入力についてユーザーに要求すること、を含むことができる。上述の選択肢のそれぞれは、ナビゲーション制御部１３及び選択可能な表示画面１２を使用することにより、個々に表示及び選択することができる。
【００２５】
図３Ｄは、いくつかの実施形態による、供給装置１０内において製品含有要素パッケージを交換するための選択肢を表示する制御インターフェイスを示している。図３Ｄの制御インターフェイスは、（「含有要素パッケージの交換」選択肢を表示する）表示画面１２と、ナビゲーション制御部１３Ａ及び１３Ｂと、を含むことができる。いくつかの実施形態においては、「含有要素パッケージの交換」選択肢は、「ブランドの入替え」選択肢が表示画面１２上において示されている際にユーザーがナビゲーション制御部１３Ｂ（例えば、図３Ｃを参照されたい）を選択することに応答して、表示されてもよい。図６Ａ〜図６Ｅとの関係において更に詳細に後述するように、「含有要素パッケージの交換」選択肢が表示された際に、ユーザーは、供給装置１０内の含有要素パッケージの交換に関連する更なる選択肢を表示するように、表示画面１２を作動させることができる。上述の選択肢のそれぞれは、ナビゲーション制御部１３及び選択可能な表示画面１２を使用することにより、個々に表示及び選択することができる。
【００２６】
図３Ｅは、いくつかの実施形態による、供給装置１０内の製品ブランドの入替えを開始するための選択肢を表示する制御インターフェイスを示している。図３Ｅの制御インターフェイスは、（ユティリティ選択肢を表示する）表示画面１２と、ナビゲーション制御部１３Ａ及び１３Ｂと、を含むことができる。いくつかの実施形態においては、ユティリティ選択肢は、「含有要素パッケージの交換」選択肢が表示画面１２上において示されている際にユーザーがナビゲーション制御部１３Ｂ（例えば、図３Ｄを参照されたい）を選択することに応答して、表示されてもよい。いくつかの実施形態においては、ユティリティ選択肢は、表示画面１２が供給装置１０からの供給のための飲料製品を示した際にユーザーが表示画面１２を作動させることに応答して、表示されてもよい。供給装置１０の制御インターフェイス内の表示画面１２は、表示画面１２の作動の際に現時点において表示されているユティリティ選択肢からアクセス可能である更なる選択肢をそれぞれが表しうる選択肢識別子１７Ａ〜１７Ｅを更に含むことができる。更なるユティリティ選択肢は、「供給装置の初期化」選択肢（例えば、言語の好みの変更及びカレンダ及びクロック機能の設定）に関する図３Ｂとの関係において上述した選択肢のみならず、残りのフィルタ寿命の表示、フィルタのリセットのための入力についての要求、「エネルギー節約」モードのターンオン又はオフのための入力についての要求、及び（例えば、Wi-Fiを介したダウンロードのための）利用可能なソフトウェア更新についてチェックするための要求、という更なる選択肢、のうちの多くを含むことができる。上述の選択肢のそれぞれは、ナビゲーション制御部１３及び表示画面１２を使用することにより、個々に表示及び選択することができる。
【００２７】
図４は、いくつかの実施形態による、供給のために供給装置１０内のいくつかの利用可能な製品の中から選択するための制御インターフェイスを示している。図４に示されているように、ユーザーは、表示画面１２上において一連の利用可能な飲料製品ブランド（例えば、ブランドＡ〜Ｎ）を通じてスクロールするべく、ナビゲーション制御部１３Ａ及び図１３Ｂを選択することができる。いくつかの実施形態においては、一連の利用可能な飲料製品ブランドは、既定の数の「コア」飲料及びコア飲料のフレーバーが付与されたバージョンを含むことができる。従って、例えば、コア飲料の表示に後続して、その後の選択肢は、異なるコア飲料を表示する前に、予め表示されているコア飲料のフレーバーが付与されたバージョンを表示することを含むことができる。また、利用可能な飲料製品ブランドは、限定を伴うことなしに、炭酸水、フレーバーが付与された炭酸水、非発泡水、又は発泡水、並びに、フレーバーが付与された非発泡又は発泡水を含むことができる。いくつかの実施形態においては、望ましい飲料製品が表示画面１２上において表示されたら、ユーザーは、図１との関係において上述した注ぎメカニズム３７を作動させることにより、飲料製品の注ぎを開始することができる。いくつかの実施形態においては、注ぎメカニズム３７の機能は、ユーザーが、表示画面１２自体を作動させることにより、望ましい飲料製品の注ぎを開始することができるように、表示画面１２内に統合することができる。
【００２８】
図５は、いくつかの実施形態による、供給装置制御インターフェイスによって生成されうる様々なアラートを示している。供給装置１０内の制御インターフェイスは、特定の状態が発生した際に表示画面１２内において様々なアラートを表示するように構成することができる。具体的には、供給装置１０上において稼働するアプリケーション３５は、低いコアブランド供給レベル、低いフレーバー供給レベル、低い水及び氷供給レベル、及び低い炭酸水供給レベルを含む、設置されている含有要素パッケージによって利用される様々な含有要素の状態を追跡するように構成することができる。制御インターフェイスは、上述の状態が発生した際に、表示画面１２上において、それぞれ、アラート５０、５２、及び５４を表示するように構成することができる。いくつかの実施形態においては、低コアブランド供給アラート及び低フレーバー供給アラート（或いは、これら２つの組合せ）は、ナビゲーション制御部１３を使用することにより、表示画面１２上における飲料製品へのスクロールの際の対応する飲料製品の表示に伴う振動として表示することができる。従って、アラート５０は、ブランドＡ及びブランドＣを有するフレーバーが付与されたコア飲料の低い供給が存在している際に、生成することができる。供給装置１０内の制御インターフェイスによって表示されうるその他のアラートは、ネットワーク接続の喪失アラート５６（例えば、「Wi-Fiなし」）、ソフトウェア更新アラート５８、及び準備アラート６０を含むことができる。また、その他のアラートを表示することもできる。
【００２９】
図６Ａ〜図６Ｄは、いくつかの実施形態による、供給装置１０内において製品の入替えを実行するべく使用されうる制御インターフェイスを示している。図６Ａに示されているように、（「パウチの選択」選択肢を表示する）表示画面１２と、ナビゲーション制御部１３Ａ及び１３Ｂと、を含みうる制御インターフェイスが示されている。また、表示画面１２は、供給装置１０内における交換のために選択された飲料製品（即ち、「ブランドＡ」）を表す選択肢識別子１７Ａを含むこともできる。ナビゲーション制御部１３Ａ及び１３Ｂは、製品の入替えを実行するために更なる飲料製品を通じてスクロールするべく、利用することができる。
【００３０】
図６Ｂ〜図６Ｃは、表示画面１２が、製品の入替えのために飲料製品「ブランドＡ」を選択するべく作動した後に、制御インターフェイスによってユーザーに提示されうる選択肢を示している。例えば、図６Ｂにおいて、表示画面１２上の選択肢識別子１９Ａは、供給装置１０内において、予め挿入されている飲料製品を交換するべく新しい飲料製品（即ち、「新しいパウチタイプの選択」）が使用されることを通知するために、ユーザーによって選択される。同様に、図６Ｃにおいては、表示画面１２上の選択肢識別子１９Ｂは、供給装置１０内において、予め使用されている飲料製品（即ち、「予め使用されているパウチタイプの選択」）が、予め挿入されている飲料製品を交換するべく使用されることを通知するために、ユーザーによって選択される。ナビゲーション制御部１３Ａ及び１３Ｂは、新しい又は予め使用されている飲料製品が、供給装置１０内の予め除去された飲料製品を交換するために、使用されるかどうかをユーザーが規定しうるように、選択肢識別子１９Ａ及び１９Ｂを通じてスクロールするべく、利用することができる。
【００３１】
図６Ｄは、表示画面１２が、供給装置１０内の新しい又は予め使用されている飲料製品を選択するべく、作動した後に、制御インターフェイスによってユーザーに提示される選択肢を示すことができる。図６Ｄに示されているように、供給装置１０内の対応するスロットに交換飲料製品（例えば、含有要素パッケージ）を挿入するためのユーザーに対する要求として機能しうる「パウチの挿入」選択肢を表示するべく、選択肢識別子２１Ａが選択されている。いくつかの実施形態においては、制御インターフェイスは、交換飲料製品が挿入されたという供給装置１０による判定に後続して、図２Ａ〜図２Ｃとの関係において上述した供給装置制御メニューに戻るように構成することができる。
【００３２】
図７は、いくつかの実施形態による、制御インターフェイスを利用して供給装置を制御するためのルーチン７００を示すフロー図である。様々な実施形態の論理的動作は、（１）演算装置又はシステム上において稼働するコンピュータ実装された動作又はプログラムモジュールのシーケンスとして、及び／又は、（２）演算装置又はシステム内の相互接続された機械論理回路又は回路モジュールとして、実装することができる。実装形態は、いくつかの実施形態を実装する演算装置又はシステムの性能要件に応じた選択による。従って、図７に示されている、且つ、本明細書において記述されている実施形態を構成している、論理的動作は、動作、構造的装置、行為、又はモジュールとして、様々に呼称される。これらの動作、構造的装置、行為、及びモジュールは、ソフトウェアにおいて、ファームウェアにおいて、ハードウェアにおいて、特殊目的デジタル論理において、並びに、これらの任意の組合せにおいて、実装することができる。
【００３３】
ルーチン７００は、動作７０５において始まっており、ここでは、供給装置１０上において稼働するアプリケーション３５が、表示画面１２上のいくつかの選択可能な選択肢のそれぞれを通じて個々にナビゲートするべく、ナビゲーション制御部の選択を受け取ることができる。表示画面１２は、いくつかの選択可能な選択肢のそれぞれを個々に提示するための予め定義されたエリアを有することができる。いくつかの実施形態においては、いくつかの選択可能な選択肢は、メインメニューと、いくつかのサブメニューと、を含むことができる。サブメニューのそれぞれは、供給装置１０を制御するための１つ又は複数の動作と関連付けられていてもよい。いくつかの選択可能な選択肢は、供給のための飲料製品の選択、飲料製品の入替え動作、１つ又は複数の供給装置の設定、及び供給装置の初期化を含むことができる。いくつかの実施形態においては、ユーザーは、既定の期間にわたって第１ナビゲーションレートにおいていくつかの選択可能な選択肢の第１の組を通じてナビゲートしてもよく、且つ、既定の期間の満了の際に第２ナビゲーションレートにおいていくつかの選択可能な選択肢の別の組を通じてナビゲートしてもよく、この場合に、第２ナビゲーションレートは、第１ナビゲーションレートを上回っている。いくつかの実施形態においては、ナビゲーション制御部は、物理的な制御ノブなどの回転制御部であってもよく、或いは、その代わりに、ユーザーインターフェイス要素（例えば、タッチインターフェイス）であってもよい。
【００３４】
動作７０５から、ルーチン７００は、動作７１０に継続しており、ここでは、供給装置１０上において稼働するアプリケーション３５は、いくつかの選択肢のうちの現時点において表示されているものを選択するべく、表示画面１２の選択を受け取ることができる。いくつかの実施形態においては、表示画面１２は、機械スイッチを含むことができる。いくつかの実施形態においては、表示画面１２は、タッチスクリーンを有することができる。動作７１０の後に、ルーチン７００は、終了している。
【００３５】
図８は、いくつかの実施形態が実施されうる供給装置のブロック図である。基本構成において、供給装置１０は、演算装置を有していてもよく、演算装置は、少なくとも１つの処理ユニット８０２と、システムメモリ８０４と、を含む。システムメモリ８０４は、限定を伴うことなしに、揮発性メモリ（例えば、ランダムアクセスメモリ（ＲＡＭ：Random Access Memory））、不揮発性メモリ（例えば、読み出し専用メモリ（ＲＯＭ：Read-Only Memory））、フラッシュメモリ、或いは、これらの任意の組合せを有することができる。システムメモリ８０４は、オペレーティングシステム８０５と、アプリケーション３５と、を含むことができる。オペレーティングシステム８０５は、供給装置１０の動作を制御することができる。
【００３６】
供給装置１０は、更なる特徴又は機能を有することできる。例えば、供給装置１０は、例えば、磁気ディスク、光ディスク、半導体ストレージ装置（「ＳＳＤ：Solid state Storage Device」）、フラッシュメモリ、又はテープなどの、着脱自在及び／又は非着脱自在でありうる、更なるデータストレージ装置（図示せず）を含むこともできる。また、供給装置１０は、キーボード、マウス、ペン、サウンド入力装置（例えば、マイクロフォン）、タッチ入力装置、制御ノブ入力装置などのような、１つ又は複数の入力装置８１２を有することもできる。また、タッチスクリーンディスプレイ、スピーカ、プリンタなどのような１つ又は複数の出力装置を含むこともできる。上述の装置は、例であり、且つ、その他のものを使用することもできる。また、インターネット（或いは、その他のタイプのネットワーク）のみならず、リモート演算システムにも接続するべく、１つ又は複数の通信接続８１６を包含及び利用することもできる。
【００３７】
例えば、いくつかの実施形態は、コンピュータプロセス（方法）、演算システム、或いは、コンピュータプログラムプロダクト又はコンピュータ可読媒体などの、製造物品として実装することができる。コンピュータプログラムプロダクトは、コンピュータシステムによって読み取ることができると共にコンピュータプロセスを実行するための命令のコンピュータプログラムをエンコードしている、コンピュータストレージ媒体であってもよい。
【００３８】
本明細書において使用されているコンピュータ可読媒体は、コンピュータストレージ媒体を含むことができる。コンピュータストレージ媒体は、ハードウェアにおける（コンピュータ可読命令、データ構造、プログラムモジュール、又はその他のデータなどの）情報の保存のために任意の方法又は技術において実装された、揮発性且つ不揮発性の、着脱自在且つ非着脱自在の、媒体を含むことができる。システムメモリ８０４は、コンピュータストレージ媒体の一例である（即ち、メモリストレージ）。コンピュータストレージ媒体は、限定を伴うことなしに、ＲＡＭ、ＲＯＭ、電気的に消去可能な読み出し専用メモリ（ＥＥＰＲＯＭ：Electrically Erasable Read-Only Memory）、フラッシュメモリ又はその他のメモリ技術、ＣＤ−ＲＯＭ、デジタルバーサタイルディスク（ＤＶＤ：Digital Versatile Disk）又はその他の光ストレージ、磁気カセット、磁気テープ、磁気ディスクストレージ又はその他の磁気ストレージ装置、或いは、情報を保存するべく使用されうると共に供給装置１０によってアクセスされうる任意のその他の媒体を含むことができる。また、このような任意のコンピュータストレージ媒体は、供給装置１０の一部分であってもよい。コンピュータストレージ媒体は、搬送波又はその他の伝播する又は変調されたデータ信号を含んではいない。
【００３９】
また、本明細書において使用されているコンピュータ可読媒体は、通信媒体を含むことができる。通信媒体は、搬送波又はその他の搬送メカニズムなどの、変調されたデータ信号内の、コンピュータ可読命令、データ構造、プログラムモジュール、又はその他のデータによって実施されてもよく、且つ、任意の情報供給媒体を含んでいる。「変調されたデータ信号」という用語は、１つ又は複数の特性セットを有する、或いは、信号内において情報をエンコードするような方式によって変更された、信号を意味しうる。通信媒体は、有線ネットワーク又は直接的な有線接続などの有線媒体と、音響、高周波（ＲＦ：Radio Frequency）、赤外線、及びその他の無線媒体などの無線媒体と、を含むことができる。
【００４０】
次に図９〜図１３を参照すれば、別の例示用の供給装置９１０が示されている。供給装置９１０は、上述の供給装置９１０に類似しているが、後述する相違点を有する。示されている供給装置９１０は、供給装置の一例に過ぎない。また、更に大きな、更に小さな、及び／又は、異なる方式によって構成された、様々なその他の供給装置を提供することもできる。
【００４１】
例示用の供給装置９１０は、ナビゲーション制御部９１３と、表示画面９１２と、を含む。また、供給装置９１０は、任意選択の供給制御部９１４と、カップ又はその他のレセプタクルが、供給装置９１０によって注がれる飲料を受け取るべく、配置されうる、供給エリア９１６と、をも含む。
【００４２】
更に後述するように、ナビゲーション制御部９１３は、供給装置９１０の様々な動作モードを制御するべく使用される。表示画面９１２は、供給装置９１０の現時点の動作モードに関する情報を提供している。また、いくつかの実施形態においては、表示画面９１２は、例えば、表示画面９１２がタッチスクリーン装置である際には、入力を受け取ることもできる。
【００４３】
図示の例においては、ナビゲーション制御部９１３は、（ナビゲーション制御部９１３と共に静止状態において留まることができ、及び／又は回転することもできる）表示画面９１２を中心として時計回り及び反時計回りの両方の方向１１０１において回転させることができる。ナビゲーション制御部９１３の回転は、ユーザーがユーザーの手１３０１の１つ又は複数の指によってナビゲーション制御部９１３の一部分１１１０を把持できるようにすることにより、実現することができる。回転は、注ぎモード、設定モード、警告モード、及び／又はアイドルモードという更に説明するモードのうちの１つ又は複数などの、供給装置９１０の動作の様々な態様を制御するべく、実行される。表示画面９１２は、ナビゲーション制御部９１３が方向１１０１において回転するのに伴って、これらのモードのうちのそれぞれのモードの態様を表示する。
【００４４】
更には、いくつかの実施形態においては、ナビゲーション制御部９１３は、ナビゲーション制御部９１３のベゼル１２００において配置された複数の入力部材１２１０、１２１４をも含む。ユーザーは、注ぎモードと設定モードの間の選択及び入力の確認などの、様々な選択を実施するべく、これらの入力部材１２１０、１２１４に接触することができ、及び／又はこれらを押下することができる。
【００４５】
例えば、図１４に示されているように、ナビゲーション制御部９１３は、ユーザーの指の存在を検知する静電容量性ボタンである入力部材１４０２及び１４０４を含む。入力部材１４０２は、ユーザーが注ぎモードを選択できるようにし、且つ、入力部材１４０４は、ユーザーが設定モードを選択できるようにしている。これに加えて、ユーザーが表示画面９１２上に示されている選択を確認できるようにするべく、入力部材１４０６が提供されている。
【００４６】
図１５に示されているナビゲーション制御部９１３は、入力部材１４０２、１４０４、１４０６のそれぞれのものの機能を表すアイコンが、機能（即ち、注ぎモード（１４０２）、設定モード（１４０４）、及び選択（１４０６））を記述するテキストによって交換されていることを除いて、類似している。
【００４７】
図１６に示されているナビゲーション制御部９１３は、入力部材１４０２、１４０４、１４０６が、ユーザーの指が入力部材１４０２、１４０４、１４０６のそれぞれを押下できるようにすることにより、機械的に作動していることを除いて、類似している。その他の構成も可能である。
【００４８】
また、再度図９〜図１３を参照すれば、例えば、供給制御部９１４が作動した際に供給装置９１０が飲料を注ぐようにするなどのように、供給装置９１０を制御するべく、供給制御部９１４を使用することもできる。例えば、ユーザーは、選択された飲料を注ぐために、供給制御部９１４をユーザーに向かう方向１２０１において引っ張ることにより、供給制御部９１４を作動させることができる。
【００４９】
その他の構成も可能である。例えば、供給制御部９１４は、供給装置９１０を制御するための入力として機能するべく、２つ以上の方向において運動するように構成することができる。更にその他の例においては、供給制御部９１４を除去することが可能であり、且つ、１つ又は複数の注ぎ機能を実行するべく、ナビゲーション制御部９１３を使用することができる。
【００５０】
次に図１７〜図１９を参照すれば、使用中のナビゲーション制御部９１３の一例が示されている。この例においては、ナビゲーション制御部９１３は、注ぐべき特定の飲料を選択するべく、使用されている。
【００５１】
一般に、入力部材１４０２は、ナビゲーション制御部９１３の飲料選択インターフェイスにアクセスするべく、ユーザーによって選択される。ナビゲーション制御部９１３は、飲料ブランドの間において選択するべく、時計回りの方向１７０１及び反時計回りの方向１７０３の両方において運動可能である。ユーザーが飲料選択肢を通じて循環するのに伴って、複数の識別子１７０８が提供されるが、表示画面９１２上において示されている現時点において選択されている飲料ブランドが、強調表示されている識別子１７１０である。
【００５２】
この例においては、望ましい飲料ブランドが表示画面９１２上において示された際に、ユーザーは、その飲料ブランドを選択するべく、入力部材１４０６を作動させる。一代替実施形態においては、ナビゲーション制御部９１３は、ナビゲーション制御部９１３上におけるユーザーからの入力がない状態において特定の期間が経過した後に、表示画面９１２上の現時点において表示されているブランドを自動的に選択するようにプログラムされている。その他の構成も可能である。
【００５３】
図１８に示されているように、この時点において、表示画面９１２は、望ましい飲料サブブランドが表示画面９１２上において示される時点まで方向１７０１、１７０３においてナビゲーション制御部９１３を回転させることにより、ユーザーによって選択されうる、選択されたブランドと関連する、飲料サブブランド、飲料フレーバー、及び／又は飲料添加物、を示すように、変更されている。次いで、ユーザーは、その飲料サブブランドを選択するべく、入力部材１４０６を選択する。ユーザーは、適宜、任意の時点において飲料ブランドの選択に戻るように、入力部材１４０２を選択することができる。
【００５４】
図１９に示されているように、飲料サブブランド、フレーバー、及び／又は添加剤の選択の後に、表示画面９１２は、飲料を注ぐ準備が完了していることを示すインジケータ１９１０を提供する。この際に、ユーザーは、例えば、供給制御部９１４を作動させることにより、及び／又は、ナビゲーション制御部９１３上において又はどこか別の場所において配置された注ぎボタンを押下することにより、飲料を供給することができる。
【００５５】
代替実施形態においては、ナビゲーション制御部９１３は、その他の方式によって構成することができる。例えば、ナビゲーション制御部９１３は、ユーザーが、１つの方向（例えば、時計回り方向１７０１）において回転させることにより、飲料ブランドの中から選択し、且つ、次いで、別の方向（例えば、反時計回り方向１７０２）において回転させることにより、飲料サブブランドの中から選択する、ことを許容するように、構成することができる。その他の構成も可能である。
【００５６】
次に図２０〜図２１を参照すれば、ユーザーは、設定などの供給装置９１０のその他の機能を制御するべく、ナビゲーション制御部９１３を利用することができる。この例においては、ユーザーは、設定モードにアクセスするべく、入力部材１４０４を選択することができる。この際に、ユーザーは、供給装置９１０の異なる設定の中から選択するべく、方向１７０１、１７０３においてナビゲーション制御部９１３を回転させることができる。図２０に示されている例においては、ナビゲーション制御部９１３は、Wi-Fi設定に回転されている。
【００５７】
次いで、ユーザーは、図２１に示されているWi-Fi設定にアクセスするべく、入力部材１４０６を選択する。表示画面９１２は、Wi-Fiの状態（「オン」又は「オフ」）を表示しており、且つ、ユーザーがWi-Fi状態をトグル切替することを許容している。これは、「オン」及び「オフ」選択肢が表示画面９１２上において順番に強調表示されるように、ユーザーがナビゲーション制御部９１３を回転させることにより、実現することができる。望ましい選択肢が選択された際に、ユーザーは、望ましい選択肢を選択するべく、入力部材１４０６にアクセスすることができる。ユーザーは、注ぎモード又は設定モードに戻るべく、任意の時点において入力部材１４０２、１４０４を選択することができる。
【００５８】
次に図２２を参照すれば、ナビゲーション制御部９１３の別の例が示されている。このナビゲーション制御部９１３は、表示画面９１２が供給レベルインジケータ２２１０を提供していることを除いて、上述のものに類似している。この供給レベルインジケータ２２１０は、供給装置９１０内に残っている飲料と関連する供給レベルの視覚的な描画である。例えば、供給レベルインジケータ２２１０は、湾曲したバーグラフとして描かれる。表示画面９１２上において示されている飲料を生成するための１つ又は複数の含有要素が枯渇するのに伴って、供給レベルインジケータ２２１０上のバーは、選択されている飲料の残りの量の視覚化を提供するべく、後退する。これは、適宜、ユーザーによってターンオン又はオフされうる任意選択の特徴であってもよい。その他の構成も可能である。また、例えば、供給レベルインジケータ２２１０は、（例えば、残っている百分率の数値を提供する）数値インジケータ及び／又は（例えば、カラーコード化された緑色、黄色、及び赤色の）着色された視覚的インジケータであってもよいであろう。
【００５９】
次に図２３を参照すれば、供給装置９１０の例示用の使用方法２３００が示されている。方法２３００は、ナビゲーション制御部９１３を使用して供給装置９１０を制御することにより、円滑に実行される。
【００６０】
方法２３００は、供給装置９１０がターンオンされた際に動作２３１０を開始する。スタートアップの際に、供給装置９１０は、初期化モードに入る。上述のように、供給装置９１０の様々な属性は、初期化の際に、ナビゲーション制御部９１３によって制御することができる。これらの属性は、例えば、様々な飲料製品を供給するべく供給装置９１０を初期化するための選択肢のみならず、供給装置９１０と関連するセットアップ言語、カレンダ、クロック、及びWi-Fi機能をも含むことができる。
【００６１】
供給装置９１０を初期化した後に、制御は、動作２３１２に伝達され、この際に、供給装置９１０は、更なる入力が提供される時点まで、アイドルモードにおいて留まる。アイドルモードにおいては、供給装置９１０は、ナビゲーション制御部９１３を通じたユーザーからの入力について待機しつつ、低パワー（即ち、エネルギー節約）状態に進入することができる。この入力は、ナビゲーション制御部９１３を使用することによる、ユーザーによる注ぎモード又は設定モードのうちの１つ又は複数の選択であってもよい。
【００６２】
例えば、制御は、動作２３１４に伝達され、且つ、供給装置９１０は、注ぎモードがユーザーによって選択されたかどうかを判定する。これは、例えば、ユーザーが、入力部材１４０２を選択すること、及び／又は、注ぐべき飲料を選択するべくナビゲーション制御部１９３を回転させることにより、実行することができる。
【００６３】
ユーザーからのこの入力を供給装置９１０が検知した場合に、制御は、動作２３１６に伝達され、且つ、供給装置９１０は、上述のように、ユーザーが選択するのに伴って、ナビゲーション制御部１９３から入力を受け付け、且つ、飲料を注ぐ。次いで、制御は、動作２３１２に伝達して戻され、且つ、供給装置９１０は、アイドルモードを再開する。
【００６４】
注ぎモードが選択されない場合には、制御は、代わりに、動作２３１４から２３１８に伝達され、且つ、供給装置９１０は、ユーザーが設定モードを選択したかどうかを判定する。これは、例えば、ユーザーが、入力部材１４０４を選択すること、及び／又は供給装置９１０の特定の設定を選択するべくナビゲーション制御部９１３を回転させることにより、実行することができる。
【００６５】
ユーザーからのこの入力を供給装置９１０が検知した場合には、制御は、動作２３２０に伝達され、且つ、供給装置９１０は、ユーザーが供給装置９１０の１つ又は複数の設定を操作するのに伴って、ナビゲーション制御部９１３からの入力を受け付ける。
【００６６】
例示用の実施形態においては、ユーザーは、Wi-Fi（図２０〜図２１を参照されたい）、供給装置の較正、エネルギー節約モード、飲料パウチの変更、供給装置の洗浄（例えば、ソーダ水器又はシロップ供給装置）、及び水濾過器の交換という、供給装置９１０用の設定の中から選択するべく、ナビゲーション制御部９１３を回転させることができる。これらの設定のうちのいくつかのものの態様については、上述したとおりである。
【００６７】
ナビゲーション制御部９１３を使用してこれらの設定のうちの１つを選択することにより、表示画面９１２上において設定に関する情報をユーザーに対して提示することができる。ユーザーは、図２０〜図２１に示されているWi-Fi設定などの設定のうちのいくつかを操作することができる。その他の設定の場合には、飲料パウチ又は水濾過器を交換する方法などの、供給装置９１０と関連する様々なタスクを通じてユーザーをガイドする表示画面９１２上の「ウィザード」インターフェイスをユーザーに対して提示することができる。
【００６８】
例えば、いくつかの飲料パウチを交換する際には、使用されている特定の飲料含有要素の容積を追跡することが望ましい場合がある。これは、パウチが供給装置９１０内において交換される際に、ナビゲーション制御部９１３を使用してパウチと関連する識別子（例えば、パッケージコード）を入力することにより、実現することができる。
【００６９】
更にその他の例においては、ナビゲーション制御部９１３は、表示画面９１２上において表示されると共にナビゲーション制御部９１３を回転させることによって操作される仮想キーボードのようなその他の入力方法などを通じてその他の入力を供給装置９１０に提供するべく、使用することができる。例えば、キーボードは、キーボード上の文字／数字／シンボルのうちの１つ又は複数を選択するべく、ナビゲーション制御部９１３を回転させることによってユーザー入力を許容する円形キーボードであってもよい。文字が選択された際に、供給装置９１０は、表示画面９１２上において文字を表示することができると共に、次の入力位置にカーソルを移動させることができる。その他の構成も可能である。
【００７０】
ナビゲーション制御部９１３を使用することにより、望ましい設定がユーザーによって操作されたら、制御は、動作２３１２に伝達して戻され、且つ、供給装置９１０は、アイドルモードを再開する。
【００７１】
設定モードが選択されなかった場合には、制御は、代わりに、動作２３１８から２３２２に伝達され、且つ、供給装置９１０は、供給装置９１０の動作と関連する任意の警告を発行する。警告が存在している場合には、制御は、動作２３２４に伝達される。
【００７２】
様々な警告を提供することができる。例えば、二酸化炭素が少ない又は枯渇している場合には、供給装置９１０は、注ぎモードを無効化することができると共に、表示画面９１２上において警告に関する情報を提供するなどにより、問題に対するアラートを発行することができる。同様に、水が存在しない場合にも、警告を提供することが可能であり、且つ、注ぎモードにおける水の供給を無効化することができる。また、（提供されている場合に）供給装置９１０と関連する任意の水リザーバを再充填する方法などの、更なる情報を表示画面９１２上において提供することもできる。
【００７３】
更には、飲料及び／又は含有要素が少ない際などには、飲料の含有要素と関連するアラートを提供することができる。これらのアラートは、所定の期間にわたって、或いは、なんらかの少量の警告が、枯渇した含有要素に関する警告となる時点まで、ユーザーによって潜在的に放置される場合がある。また、水濾過器などの、その他の交換コンポーネントに関するアラームは、コンポーネントを交換する方法に関する情報と共に、提供することもできる。
【００７４】
なんらかの警告が発行された後に（或いは、警告が存在していない際には）、制御は、動作２３１２に伝達して戻され、且つ、供給装置９１０は、アイドルモードを再開する。
【００７５】
いくつかの例においては、供給装置９１０は、特定のタイムアウト期間の後に、所与の動作モード（例えば、アイドルモード）に戻るように、プログラムすることができる。例えば、供給装置は、動作２３１６（注ぎモード）又は動作２３２０（設定モード）にある際に、ユーザーが所与の期間内においてナビゲーション制御部９１３を通じて入力を提供することに失敗した場合には、アイドルモードに戻るようにプログラムすることができる。
【００７６】
以上、方法、システム、及びコンピュータプログラムプロダクトのブロック図及び／又は動作図を参照し、いくつかの実施形態について説明した。ブロック内において記述されている動作／行為は、任意のフロー図において示されている順序を逸脱して、スキップされてもよく、或いは、発生してもよい。例えば、連続的に示されている２つ以上のブロックは、関連する機能／行為に応じて、実際には、実質的に同時に実行されてもよく、或いは、ブロックは、しばしば、逆の順序において実行されてもよい。
【００７７】
様々な実施形態が様々な例示用の例との関連において記述されているが、添付の請求項の範囲内において、これらの実施形態に対して多くの変更を実施することができる。従って、実施形態の範囲が、なんらかの方式により、以上の説明によって限定されることを意図するものではなく、その代わりに、実施形態の範囲は、添付の請求項を参照することにより、その全体が判定される。
【図１】
2019525871.tif 000003
【図２Ａ】
2019525871.tif 000004
【図２Ｂ】
2019525871.tif 000005
【図２Ｃ】
2019525871.tif 000006
【図３Ａ】
2019525871.tif 000007
【図３Ｂ】
2019525871.tif 000008
【図３Ｃ】
2019525871.tif 000009
【図３Ｄ】
2019525871.tif 000010
【図３Ｅ】
2019525871.tif 000011
【図４】
2019525871.tif 000012
【図５】
2019525871.tif 000013
【図６Ａ】
2019525871.tif 000014
【図６Ｂ】
2019525871.tif 000015
【図６Ｃ】
2019525871.tif 000016
【図６Ｄ】
2019525871.tif 000017
【図７】
2019525871.tif 000018
【図８】
2019525871.tif 000019
【図９】
2019525871.tif 000020
【図１０】
2019525871.tif 000021
【図１１】
2019525871.tif 000022
【図１２】
2019525871.tif 000023
【図１３】
2019525871.tif 000024
【図１４】
2019525871.tif 000025
【図１５】
2019525871.tif 000026
【図１６】
2019525871.tif 000027
【図１７】
2019525871.tif 000028
【図１８】
2019525871.tif 000029
【図１９】
2019525871.tif 000030
【図２０】
2019525871.tif 000031
【図２１】
2019525871.tif 000032
【図２２】
2019525871.tif 000033
【図２３】
2019525871.tif 000034
【国際調査報告】
2019525871.tif 000035
2019525871.tif 000036
2019525871.tif 000037